(57)【要約】【課題】ファーストプリントタイムが長くなることを回避しつつ、ポリゴンモータおよびメインモータの駆動開始時の突入電流を小さくすること。【解決手段】複写機１は、ポリゴンモータ３と、画像形成機構を駆動させるメインモータメインモータ７の駆動開始と同時にポリゴンモータ３を駆動開始させるポリゴンモータ駆動制御部１５０と、メインモータ７とポリゴンモータ３とが同時に駆動開始されてから予め定められた所定時間（抑制時間）が経過したことを検知するタイマ１３０と、ポリゴンモータ３の設定速度を、タイマ１３０が所定時間が経過したことを検知するまでの間、当該検知の後の設定速度よりも遅い速度に設定するポリゴンモータ基準クロック処理部１４０とを備える。【選択図】図３
2007225655.tif 000002
【特許請求の範囲】
【請求項１】
ポリゴンモータと、
画像形成機構を駆動させるメインモータの駆動開始と同時に前記ポリゴンモータを駆動開始させるポリゴンモータ制御手段と、
メインモータと前記ポリゴンモータとが同時に駆動開始されてから予め定められた所定時間が経過したことを検知するタイミング検知手段と、
前記ポリゴンモータの設定速度を、前記タイミング検知手段が所定時間が経過したことを検知するまでの間、当該検知の後の設定速度よりも遅い速度に設定するポリゴンモータ速度設定手段とを備える画像形成装置。
【請求項２】
メインモータおよび前記ポリゴンモータを流れる電流の総和が電源容量を超えないように前記所定時間および設定される前記遅い速度が定められた請求項１記載の画像形成装置。
【請求項３】
前記所定時間は、メインモータと前記ポリゴンモータとが同時に駆動開始されてから、メインモータの起動電流がピークを過ぎるまでの時間より長い請求項１または２記載の画像形成装置。
【請求項４】
ポリゴンモータと、
画像形成機構を駆動させるメインモータの駆動開始と同時に前記ポリゴンモータを駆動開始させるポリゴンモータ制御手段と、
メインモータの回転安定信号を検知する回転安定信号検知手段と、
前記ポリゴンモータの設定速度を、前記回転安定信号検知手段により回転安定信号が検知されるまでの間、検知がされた後の設定速度よりも遅い速度に設定するポリゴンモータ速度設定手段とを備える画像形成装置。
【請求項５】
メインモータおよび前記ポリゴンモータを流れる電流の総和が電源容量を超えないように、設定される前記遅い速度が定められた請求項４記載の画像形成装置。
【請求項６】
前記ポリゴンモータ速度設定手段は、前記タイミング検知手段が所定時間が経過したことを検知した場合、あるいは、前記回転安定信号検知手段が回転安定信号を検知した場合に、前記ポリゴンモータが使用時に到達するべき速度へと当該ポリゴンモータの設定速度を切り替える請求項１〜５のいずかに記載の画像形成装置。
【請求項７】
前記ポリゴンモータ速度設定手段は、ポリゴンモータ基準クロックを生成するクロック生成手段である請求項１〜６のいずれかに記載の画像形成装置。
【発明の詳細な説明】
【技術分野】
【０００１】
本発明は、画像形成装置に関する。
【背景技術】
【０００２】
従来より、プリンタ、複写機、ファックス、複合機等の画像形成装置が利用されている。これら画像形成装置には、感光体ドラムを駆動させるメインモータと、ポリゴンミラーを駆動させるポリゴンモータとが設けてあり、いずれのモータも、ユーザがスタートボタンを押すなどして画像形成が実行開始されるときに、駆動が開始される。
【０００３】
ここで、これらのモータは、それぞれ、駆動が開始されるときに、回転速度（単位時間あたり回転数）が規定回転速度に達して定常状態となるまでの間、定常状態における電流より遥かに多い電流（いわゆる突入電流）が流れる。そして、上述のように、画像形成が実行開始されるときには、２つのモータが並行して共に駆動開始されるので、全体として非常に大きな突入電流が流れてしまう。突入電流が大きくなると、画像形成装置の電源に非常に大きな容量の電源が必要となるなどして好ましくない。
【０００４】
そこで、特許文献１記載の技術では、かかる画像形成開始時におけるメインモータとポリゴンモータとの突入電流を小さくするために、２つのモータの起動タイミングをずらして、メインモータの駆動よりも遅らせてポリゴンモータを駆動し、メインモータが定常状態になり（規定回転速度に達し）、電源電流が下がったときに、はじめてポリゴンモータを起動するようにしている。
【特許文献１】特開２００４−３３３８０７号公報
【発明の開示】
【発明が解決しようとする課題】
【０００５】
しかしながら、従来のかかる特許文献１記載の技術は、突入電流を小さくするためにポリゴンモータの起動を遅らせるので、規定回転速度までポリゴンモータの速度が達するのが遅くなり、ひいては、画像形成動作を始めることができるようになるまでに長い時間が必要になるものであった（ファーストプリントタイムが長くなっていた）。
【０００６】
本発明は、かかる課題に鑑みてなされたものであり、ファーストプリントタイムが長くなることを回避しつつ、ポリゴンモータおよびメインモータの駆動開始時の突入電流を小さくすることができる画像形成装置を提供することを目的とする。
【課題を解決するための手段】
【０００７】
請求項１記載の画像形成装置は、ポリゴンモータと、画像形成機構を駆動させるメインモータの駆動開始と同時に前記ポリゴンモータを駆動開始させるポリゴンモータ制御手段と、メインモータと前記ポリゴンモータとが同時に駆動開始されてから予め定められた所定時間が経過したことを検知するタイミング検知手段と、前記ポリゴンモータの設定速度を、前記タイミング検知手段が所定時間が経過したことを検知するまでの間、当該検知の後の設定速度よりも遅い速度に設定するポリゴンモータ速度設定手段とを備える画像形成装置である。
【０００８】
この構成によれば、画像形成機構を駆動させるメインモータの駆動開始と同時にポリゴンモータが駆動開始され、メインモータとポリゴンモータとが同時に駆動開始されてから予め定められた所定時間が経過したことが検知されて、検知されるまでの間、当該検知の後の設定速度よりも遅い速度に、ポリゴンモータの設定速度が設定される。
【０００９】
従って、タイミング検知手段が予め定められた所定時間が経過したことを検知するまで、検知の後の設定速度よりも遅い速度がポリゴンモータの設定速度に設定されて、ポリゴンモータおよびメインモータの駆動開始時の突入電流が小さくなると共に、検知までの間、ポリゴンモータは遅い設定速度とはいえ駆動されて、ファーストプリントタイムが短くなる。この結果、ファーストプリントタイムが長くなることを回避しつつ、ポリゴンモータおよびメインモータの駆動開始時の突入電流を小さくすることができる。
【００１０】
なお、「同時」とは、実質的に同時である意味であり、必ずしも厳密にタイミングが一致することまでは意味しない（以下で説明する請求項３，４の画像形成装置において同様）。
【００１１】
メインモータは、少なくとも感光体ドラムを駆動させるものであることが好ましい。
【００１２】
請求項２記載の画像形成装置は、メインモータおよび前記ポリゴンモータを流れる電流の総和が電源容量を超えないように前記所定時間および設定される前記遅い速度が定められた請求項１記載の画像形成装置である。
【００１３】
したがって、ポリゴンモータおよびメインモータの駆動開始時の突入電流が小さくされることにより、それらの電流の総和が電源容量を超えないようにされて、ファーストプリントタイムが長くなることを回避しつつ、ポリゴンモータおよびメインモータを流れる電流の総和が電源容量を超えないようにすることができる。
【００１４】
なお、「電源容量を超える」ことには、電源容量のうちでポリゴンモータおよびメインモータに割り当てられた部分を超えることを含む（以下、同様）。
【００１５】
請求項３記載の画像形成装置は、前記所定時間は、メインモータと前記ポリゴンモータとが同時に駆動開始されてから、メインモータの起動電流がピークを過ぎるまでの時間より長い請求項１または２記載の画像形成装置である。
【００１６】
この構成によれば、メインモータとポリゴンモータとが同時に駆動開始されてから、メインモータの起動電流がピークを過ぎるまでの時間より長い時間が上述の所定時間にされる。
【００１７】
したがって、メインモータの起動電流がピークを過ぎるまで、ポリゴンモータが遅い設定速度にされると共に、ピークを過ぎてメインモータに少ない電流しか流れなくなってから、設定速度が早くされるので、確実に、ポリゴンモータおよびメインモータの駆動開始時の突入電流を小さくすることができる。
【００１８】
請求項４記載の画像形成装置は、ポリゴンモータと、画像形成機構を駆動させるメインモータの駆動開始と同時に前記ポリゴンモータを駆動開始させるポリゴンモータ制御手段と、メインモータの回転安定信号を検知する回転安定信号検知手段と、前記ポリゴンモータの設定速度を、前記回転安定信号検知手段により回転安定信号が検知されるまでの間、検知がされた後の設定速度よりも遅い速度に設定するポリゴンモータ速度設定手段とを備える画像形成装置である。
【００１９】
この構成によれば、画像形成機構を駆動させるメインモータの駆動開始と同時にポリゴンモータが駆動開始され、メインモータの回転安定信号が回転安定信号検知手段に検知されて、ポリゴンモータの設定速度は、回転安定信号検知手段に回転安定信号が検知されるまでの間、検知がされた後の設定速度よりも遅い速度に設定される。
【００２０】
従って、回転安定信号検知手段がメインモータの回転安定信号を検知するまでは検知の後の設定速度よりも遅い速度がポリゴンモータの設定速度に設定されることで、ポリゴンモータおよびメインモータの駆動開始時の突入電流を小さくすることができる一方で、当該検知の後の設定速度よりも遅い設定速度とはいえ、検知までの間もポリゴンモータは駆動されるので、ファーストプリントタイムは短くなる。この結果、ファーストプリントタイムが長くなることを回避しつつ、ポリゴンモータおよびメインモータの駆動開始時の突入電流を小さくすることができる。
【００２１】
なお、回転安定信号は、メインモータの回転が安定したことを表す信号であり、定常状態になったことを検知した信号や、いわゆるレディー信号が含まれる。
【００２２】
請求項５記載の画像形成装置は、メインモータおよび前記ポリゴンモータを流れる電流の総和が電源容量を超えないように、設定される前記遅い速度が定められた請求項４記載の画像形成装置である。
【００２３】
したがって、ポリゴンモータおよびメインモータの駆動開始時の電流が小さくされることにより、それらの電流の総和が電源容量を超えないようにされて、ファーストプリントタイムが長くなることを回避しつつ、ポリゴンモータおよびメインモータを流れる電流の総和が電源容量を超えてしまわないようにすることができる。
【００２４】
請求項６記載の画像形成装置は、前記ポリゴンモータ速度設定手段は、前記タイミング検知手段が所定時間が経過したことを検知した場合、あるいは、前記回転安定信号検知手段が回転安定信号を検知した場合に、前記ポリゴンモータが使用時に到達するべき速度へと当該ポリゴンモータの設定速度を切り替える請求項１〜５のいずかに記載の画像形成装置である。
【００２５】
この構成によれば、前記タイミング検知手段により所定時間が経過したことが検知された場合、あるいは、前記回転安定信号検知手段により回転安定信号が検知された場合に、前記ポリゴンモータが使用時に到達するべき速度へと当該ポリゴンモータの設定速度が切り替えられる。
【００２６】
こうすれば、切り替え後の設定下において、ポリゴンモータの速度が、使用時に到達すべき速度まで到達する。
【００２７】
請求項７記載の画像形成装置は、前記ポリゴンモータ速度設定手段は、ポリゴンモータ基準クロックを生成するクロック生成手段である請求項１〜６のいずれかに記載の画像形成装置である。
【００２８】
この構成にすれば、ポリゴンモータ基準クロックを生成するクロック生成手段としてポリゴンモータ速度設定手段を、簡便に実現することができる。
【発明の効果】
【００２９】
本発明によれば、画像形成装置において、ファーストプリントタイムが長くなることを回避しつつ、ポリゴンモータおよびメインモータの駆動開始時の突入電流が小さくて、電源の容量が小さくても動作することができる画像形成装置を提供することを目的とする。
【発明を実施するための最良の形態】
【００３０】
以下、本発明の一実施形態に係る複写機１について図面を参照して説明する。
【００３１】
複写機１は、複写対象の原稿から原稿画像を読み取る原稿読み取り部１Ｓと、画像を形成する記録紙Ｐが積載された給紙部１Ｐと、記録紙Ｐを給紙部１Ｐから搬送して、画像形成部２００を経て、排出部１Ｄへと排出する用紙搬送機構１Ｔと、この用紙搬送機構１Ｔの搬送路途上で記録紙Ｐに画像形成行を実行する画像形成部２００と、複写機１各部の動作を制御する制御部１００と、複写機１各部に電源供給を行う電源装置１Ｅとを有する。
【００３２】
画像形成部２００には、感光体ドラム２０５と、露光装置２０６と、イエロー（Ｙ）、マゼンタ（Ｍ）、シアン（Ｃ）、ブラック（Ｋ）の各現像色用の現像装置２０７Ｙ、２０７Ｍ、２０７Ｃ、２０７Ｋと、転写ローラ２０３と、中間転写体ローラ２０４とが設けられている。
【００３３】
感光体ドラム２０５は、矢印方向に回転しながら帯電装置（図示省略）によって一様に帯電される。露光装置２０６は、原稿読み取り部１Ｓにおいて読み取られた原稿画像に基づいて生成された変調信号をレーザー光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各現像色別のトナー像を感光体ドラム２０５上に形成する。中間転写体ローラ２０４は、感光体ドラム２０５表面から各現像色のトナー像が転写されて、トナー像が形成されるものである。そして、転写ローラ２０３は、中間転写体ローラ２０４上のトナー像を、画像形成部２００まで搬送されてきた記録紙Ｐに転写する。
【００３４】
制御部１００は、ＣＰＵ（ｃｅｎｔｒａｌ  ｐｒｏｃｅｓｓｉｎｇ  ｕｎｉｔ）、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）等を有する情報処理装置として構成されており、ソフトウェアを実行することにより、制御処理を行う。なお、あとで図３を参照して、制御部１００に実現される各機能ブロックについて説明する。
【００３５】
電源装置１Ｅは、商用電源から電力を供給されて、複写機１の各部に対して電源供給を行う。電源装置１Ｅには、流すことのできる電流に限界がある。この限界のことは、電源容量と呼ばれる。
【００３６】
ここで、メインモータについて説明する。図１では、図示の便宜上のため示していないが、複写機１にはメインモータと呼ばれるモータがあり、感光体ドラム２０５のほか、転写ローラ２０３や、中間転写体ローラ２０４、および用紙搬送機構１Ｔに設けてある搬送ローラ等は、このメインモータの駆動力が伝達されることにより動作される。
【００３７】
なお、本実施形態では、一例として、複写機を例にとって説明を行うが、プリンタであっても、ファクシミリであっても、複合機であっても、さらに他のタイプの画像形成装置であっても、本発明は実施することができる。
【００３８】
図２は、露光装置２０６の詳細な構成を示す図である。図２は、感光体ドラム２０５に対して、露光装置２０６の側（複写機１の下側）から、感光体ドラム２０５を見上げた図である。
【００３９】
露光装置２０６は、レーザビームを出力するレーザダイオードにより構成されるレーザー光源６と、レーザー光源６が射出するレーザビームを感光体ドラム２０５の長手方向へと走査させるポリゴンミラー２と、レーザビームが走査されるようにポリゴンミラー２を回転させるポリゴンモータ３と、ポリゴンミラー２で反射したレーザビームを、感光体ドラム２０５まで導くｆθレンズ４およびミラー８などを備える。
【００４０】
複写機１には、このように、メインモータとポリゴンモータ３との２つのモータがある。
【００４１】
図３は、複写機１の概略構成を示すブロック図である。
【００４２】
図３には、制御部１００が実現する機能ブロックが示されてある。制御部１００には、画像形成制御部１１０と、メインモータ駆動制御部１２０と、タイマ１３０と、ポリゴンモータ基準クロック処理部１４０と、ポリゴンモータ駆動制御部１５０とが実現される。
【００４３】
画像形成制御部１１０は、画像形成部２００（図１）の動作を制御する。画像形成制御部１１０は、複写機１に印刷ジョブが到着したときなどに、画像形成部２００を用いて、記録紙Ｐへの画像形成を行う。画像形成制御部１１０は、画像形成を開始する場合、メインモータ駆動制御部１２０及びポリゴンモータ駆動制御部１５０に対して、画像形成開始指示を送る。
【００４４】
メインモータ駆動制御部１２０は、メインモータ７の駆動制御を行う。メインモータ駆動制御部１２０は、画像形成開始指示が取得された場合、メインモータ７を駆動開始させる。メインモータ７は、駆動が開始されても、即座には所望の回転速度、すなわちメインモータ７が画像形成に利用可能となる回転速度（以下、規定回転速度と呼ぶ）に到達することはなく、メインモータ７はしだいに回転速度をあげて、ある程度の時間をかけて規定回転速度に到達する。画像形成開始指示が取得された場合、メインモータ７の駆動が開始されることにより、画像形成にメインモータ７を利用するための準備がされる。メインモータ駆動制御部１２０は、メインモータ７に対してメインモータ駆動信号を送ることにより、メインモータ７を駆動させる。
【００４５】
一方、ポリゴンモータ駆動制御部１５０は、ポリゴンモータ３の駆動制御を行う。ポリゴンモータ駆動制御部１５０も、画像形成開始指示が取得された場合、ポリゴンモータ３の駆動を開始する。ポリゴンモータ３も、駆動が開始されるとしだいに加速されて、ある程度の時間をかけて規定回転速度（ポリゴンモータ３が画像形成に利用可能となる回転速度）に到達するので、駆動が開始されることにより、ポリゴンモータ３を画像形成に利用する準備がされる。ポリゴンモータ３には、ポリゴンモータ駆動信号が送られることにより駆動指示がされる。
【００４６】
このようにして、メインモータ７とポリゴンモータ３とは、画像形成開始指示に応じて同時に駆動開始される。
【００４７】
ポリゴンモータ基準クロック処理部１４０は、ポリゴンモータ基準クロックを生成して、ポリゴンモータ３に入力する。ポリゴンモータ３は、しだいに回転速度が上がると、最終的に、ポリゴンモータ基準クロックが示す速度（以下、設定速度と略称する）の回転速度となり、その速度で回転を続ける。
【００４８】
ここで、ポリゴンモータ基準クロック処理部１４０は、２通りの周波数のクロック（３１８３Ｈｚと１０４６Ｈｚと）を使い分けて、ポリゴンモータ３へと切り替えて入力する機能を有しており、入力されるクロックが３１８３Ｈｚであるときには、前述の規定回転速度が設定速度として設定される一方で、他方の１０４６Ｈｚのクロックが入力される場合には、それよりも遅い抑制された回転速度が設定速度に設定される。この、遅い回転速度（以下、抑制回転速度と呼ぶ）についての詳しい説明は後で行う。
【００４９】
タイマ１３０は、画像形成制御部１１０が画像形成開始指示をしてポリゴンモータ３とメインモータ７とを駆動開始させた場合に、時間計測を開始し、以下で説明する所定時間（抑制時間と呼ぶこととする）が経過することを監視し、経過した場合にはそれを検知する。ポリゴンモータ基準クロック処理部１４０は、抑制時間が経過したことが検知されるまでは、比較的低速な抑制回転速度のポリゴンモータ基準クロック（１０４６Ｈｚ）をポリゴンモータ３へと入力し、そして、抑制時間が経過したことが検知された後になってはじめて、規定回転速度のクロック（３１８３Ｈｚ）を入力する。
【００５０】
抑制回転速度は、メインモータ７およびポリゴンモータ３を流れる電流の総和が、電源装置１Ｅが供給できる電流の限界（電源容量）を超えない最大の速度に設定される。抑制回転速度は、ポリゴンモータ３が駆動開始されて抑制時間が経過するまでの間、設定されるので、抑制時間が経過するまでの電流が電源容量を超えないようにされる。そして、こうした電源容量を超えた電流が流れない回転速度のうちでなるべく速い速度が抑制回転速度にされる。このように抑制回転速度が速い速度にされることで、ポリゴンモータ３がすみやかに加速されて、ファーストプリントタイムが、より短くなる。
【００５１】
また、抑制時間は、設定速度が規定回転速度へと抑制時間経過後に変更されたのちに、２つのモータ７，３の電流総和が電源容量を超えないように、設定される。そして、かかる電源容量を電流が越えない時間のうちで、最短のものが抑制時間にされる。こうすることで、駆動開始から短い時間のうちに規定回転速度が設定速度にされて、ポリゴンモータ３がすみやかに規定回転速度になるようになり、ファーストプリントタイムが、短くなる。
【００５２】
なお、抑制時間は、メインモータ７に流れる電流がピーク電流となるまでの時間より長くされる。こうすることで、メインモータ７の電流がピークを過ぎて、電流が少なくなったときに、ポリゴンモータ３に規定回転速度が設定されるので、メインモータ７およびポリゴンモータ３の電流総和が電源容量を超えることがより確実に回避される。
【００５３】
図４は、複写機１の動作を説明するフローチャートである。
【００５４】
ステップＳ１においては、画像形成制御部１１０がメインモータ駆動制御部１２０とポリゴンモータ駆動制御部１５０とに対して画像形成開始指示を行う。
【００５５】
ステップＳ２においては、画像形成開始指示に応じて、メインモータ駆動制御部１２０がメインモータ７を駆動開始し、ポリゴンモータ駆動制御部１５０がポリゴンモータ３を駆動開始する。前述の通り、これら２つのモータは同時に駆動開始される。そして、画像形成開始指示はタイマ１３０に検知されて、抑制時間の計測が開始される。このとき、タイマ１３０による計測時間のゼロクリアがされることにより、比較的低速の抑制回転速度のポリゴンモータ基準クロックがポリゴンモータ３へとポリゴンモータ基準クロック処理部１４０から入力されて、ポリゴンモータ３は抑制回転速度の設定下で、ステップＳ２において駆動開始される。
【００５６】
ステップＳ３においては、ポリゴンモータ基準クロック処理部１４０が、抑制時間が経過したことを検知するまで、タイマ１３０を監視する（ステップＳ３：Ｎｏ）。この間、メインモータ７が加速されるとともに、電源容量を超えた電流が流れない程度の比較的緩やかな加速ではあるが、ポリゴンモータ３も、抑制回転速度の設定で加速される。
【００５７】
そして、抑制時間が経過したことがタイマ１３０に検知された場合（ステップＳ３：Ｙｅｓ）、ステップＳ４の処理が行われる。
【００５８】
ステップ４では、ポリゴンモータ基準クロック処理部１４０が、ポリゴンモータ３へと、規定回転速度のポリゴンモータ基準クロックを入力して、ポリゴンモータ基準クロックを切り替える。前述の通り、この切り替えの後も、電源容量を超えた電流は流れることはないように、抑制時間は設定されている。
【００５９】
ステップＳ５では、画像形成が実行される。すなわち、給紙部１Ｐから記録紙Ｐが画像形成部２００へと搬送され、画像形成が実行される。ただし、ポリゴンモータ３およびメインモータ３の両者が規定回転速度に達したことが待たれてから、画像形成は実行開始される。
【００６０】
このようにして、ファーストプリントタイムが長くなることが回避されながら、ポリゴンモータ３およびメインモータ７の駆動開始時の突入電流が、電源容量を超えないようにされる。
【００６１】
以下、変形例について説明する。
【００６２】
（Ａ）タイマ１３０は必須でない。
【００６３】
図５は、変形例にかかる制御部１００ｘが実現する機能ブロックを示す説明図である。
【００６４】
この変形例に係る複写機１ｘは、上記実施形態における複写機１とは制御部１００ｘが異なる構成となっている。制御部１００ｘにおいては、タイマ１３０がなく（図３参照）、代わりにレディー信号検知部１３０ｘがある。
【００６５】
レディー信号検知部１３０ｘは、メインモータ７からレディー信号を取得する。このレディー信号が取得された場合には、メインモータ７はレディー状態になっている。レディー状態とは、回転数が規定回転速度に達して、定常状態となったメインモータ７の状態のことをいう。
【００６６】
そして、ポリゴンモータ基準クロック処理部１４０ｘは、メインモータ７がレディー状態になっていないことが検知されている間、規定回転速度より遅い速度（上記説明で述べた抑制回転速度）をポリゴンモータ３の設定速度に設定する。
【００６７】
図６は、変形例にかかる複写機１ｘの動作を示すフローチャートである。
【００６８】
図６の処理は、実施形態の説明における図４の処理に相当する。ただし、ステップＳ２ｘでは、ポリゴンモータ３の設定速度は、メインモータ７が駆動開始時でレディー状態ではないことから抑制回転速度とされる。また、ステップＳ３ｘでは、メインモータ７のレディー状態がレディー信号検知部１３０ｘにより検出されることが、ポリゴンモータ基準クロック処理部１４０ｘによって監視される（ステップＳ３ｘ：Ｎｏ）。そして、メインモータ７がレディー状態となったときに（ステップＳ３ｘ：Ｙｅｓ）、ポリゴンモータ３の設定速度が規定回転速度へと、ポリゴンモータ基準クロック処理部１４０ｘにより切り替えられる。
【００６９】
なお、この変形例においては、ポリゴンモータ３が駆動開始されてから（ステップＳ２ｘ）、レディー信号検知部１３０ｘがレディー状態を検出するまでの時間（ステップＳ３ｘ：Ｙｅｓ）が、上記実施形態の説明における抑制時間に相当する。
【００７０】
このようにしても、レディー状態になったメインモータ７は回転数がすでに規定回転速度に達し、流れる電流が小さくなっているので、ポリゴンモータ３の設定速度を規定回転数にしても（ステップＳ４）、ポリゴンモータ３およびメインモータ７に流れる電流の総和は電源装置１Ｅの電源容量を超えることはない。
【００７１】
そして、このときにも、予めポリゴンモータ３が、メインモータ７の駆動開始と同時に駆動され始めているので、このためにファーストプリントタイムは、上記実施形態の場合と同じように、短いものとなる。
【００７２】
なお、このようにすれば、上記実施形態の場合とくらべて、タイマ１３０が不要となり、単にレディー信号に基づいて処理がされるだけとなるので、プリンタ１ｘでは、装置構成を簡潔にすることができる。
【００７３】
（Ｂ）上記の説明では、ポリゴンモータ３の設定速度を切り替えるために、ポリゴンモータ３に入力するポリゴンモータ基準クロックを変更するものとしたが、かかる場合には限定されず、他の方法により設定速度が切り替えられるものとしてもよい。
【００７４】
（Ｃ）上記の説明では、ポリゴンモータ３の設定速度が２段階に切り替えられる場合について説明したが、かかる場合に限定されず、３段階以上の段階で次第に早い速度などへと設定速度が切り替えられても良いし、また、段階を経て順次に切り替わるのではなく、スムーズに連続的な無段階変速が行われるものとしもよい。
【００７５】
（Ｄ）上記実施形態の説明では、メインモータ７に流れる電流がピーク電流となるまでの時間より長い時間に抑制時間がされるものとしたが、かかる場合に限定されることはなく、ピーク電流となるまでの時間より短い時間を、抑制時間に設定してもよい。
【図面の簡単な説明】
【００７６】
【図１】本発明の一実施形態に係る複写機１を概略的に示す図である。
【図２】露光装置２０６の詳細な構成を示す図である。
【図３】複写機１の概略構成を示すブロック図である。
【図４】複写機１の動作を説明するフローチャートである。
【図５】変形例にかかる制御部１００ｘが実現する機能ブロックを示す説明図である。
【図６】変形例にかかる複写機１ｘの動作を示すフローチャートである。
【符号の説明】
【００７７】
１  複写機
１Ｓ  原稿読み取り部
１Ｐ  給紙部
Ｐ  記録紙
１Ｔ  用紙搬送機構
１Ｄ  排出部
１Ｅ  電源装置
２００  画像形成部
２０３  転写ローラ
２０４  中間転写体ローラ
２０５  感光体ドラム
２０６  露光装置
２０７Ｙ，２０７Ｍ，２０７Ｃ，２０７Ｋ  現像装置
２  ポリゴンミラー
３  ポリゴンモータ
４  ｆθレンズ
６  レーザー光源
７  メインモータ
８  ミラー
１００  制御部
１１０  画像形成制御部
１２０  メインモータ駆動制御部
１３０  タイマ
１４０  ポリゴンモータ基準クロック処理部
１５０  ポリゴンモータ駆動制御部
１ｘ  複写機
１００ｘ  制御部
１３０ｘ  レディー信号検知部
１４０ｘ  ポリゴンモータ基準クロック処理部
【図１】
2007225655.tif 000003
【図２】
2007225655.tif 000004
【図３】
2007225655.tif 000005
【図４】
2007225655.tif 000006
【図５】
2007225655.tif 000007
【図６】
2007225655.tif 000008